(57)【要約】【課題】本発明は、フォーカルコニック状態の反射率が低くコントラスト比が高い表示が得られ、また表示面内で均一な表示を比較的短い書き換え時間で得ることができる反射型液晶表示素子及びその駆動方法を提供することを目的とする。【解決手段】本発明に係る反射型液晶表示素子は、第１透明電極基板と、第２透明電極基板と、コレステリック液晶材料とを備えている。さらに、本発明に係る反射型液晶表示素子は、コレステリック液晶材料を一括してプレーナ状態にするプレーナ手段１２と、コレステリック液晶材料を一括してフォーカルコニック状態にするフォーカルコニック手段１３と、画像の書き込みを行う書込手段１４とを備えている。そして、フォーカルコニック手段１３は、電圧無印加期間と相互に第２双極パルスをコレステリック液晶材料に複数回印加することを特徴とする。【選択図】図５
2007304461.tif 000002
【特許請求の範囲】
【請求項１】
複数の走査電極が形成された第１透明電極基板と、
複数の信号電極が形成された第２透明電極基板と、
前記第１透明電極基板と前記第２透明電極基板とに挟持されたコレステリック液晶材料とを備える反射型液晶表示素子であって、
前記コレステリック液晶材料をホメオトロピック状態にする第１双極パルスを所定の期間印加して、前記走査電極と前記信号電極との間の全ての前記コレステリック液晶材料を一括してプレーナ状態にするプレーナ手段と、
前記第１双極パルスより印加電圧が低い第２双極パルスを印加して、前記走査電極と前記信号電極との間の全ての前記コレステリック液晶材料を一括してフォーカルコニック状態にするフォーカルコニック手段と、
所定の前記走査電極と前記信号電極との間の前記コレステリック液晶材料に、所定のパルスを印加して画像の書き込みを行う書込手段とを備え、
前記フォーカルコニック手段は、電圧無印加期間と相互に前記第２双極パルスを前記コレステリック液晶材料に複数回印加することを特徴とする反射型液晶表示素子。
【請求項２】
請求項１に記載の反射型液晶表示素子であって、
前記フォーカルコニック手段は、連続した複数の前記第２双極パルスを一組として前記コレステリック液晶材料に印加することを特徴とする反射型液晶表示素子。
【請求項３】
請求項２に記載の反射型液晶表示素子であって、
前記フォーカルコニック手段は、前記第２双極パルスのパルス幅が１ｍｓ乃至５０ｍｓで、前記第２双極パルスの組間に設ける前記電圧無印加期間を１０ｍｓ乃至５００ｍｓとすることを特徴とする反射型液晶表示素子。
【請求項４】
請求項２又は請求項３に記載の反射型液晶表示素子であって、
一組の前記第２双極パルスの繰り返し回数は、２回乃至１０回であることを特徴とする反射型液晶表示素子。
【請求項５】
請求項２乃至請求項４のいずれか１つに記載の反射型液晶表示素子であって、
前記コレステリック液晶材料に印加する前記第２双極パルスの組数が、２組乃至１０組であることを特徴とする反射型液晶表示素子。
【請求項６】
複数の走査電極が形成された第１透明電極基板と、複数の信号電極が形成された第２透明電極基板と、前記第１透明電極基板と前記第２透明電極基板とに挟持されたコレステリック液晶材料とを備える反射型液晶表示素子の駆動方法であって、
前記コレステリック液晶材料をホメオトロピック状態にする第１双極パルスを所定の期間印加して、前記走査電極と前記信号電極との間の全ての前記コレステリック液晶材料を一括してプレーナ状態にするプレーナ期間と、
前記プレーナ期間後、前記第１双極パルスより印加電圧が低い第２双極パルスを印加して、前記走査電極と前記信号電極との間の全ての前記コレステリック液晶材料を一括してフォーカルコニック状態にするフォーカルコニック期間と、
前記フォーカルコニック期間後、所定の前記走査電極と前記信号電極との間の前記コレステリック液晶材料に、所定のパルスを印加して画像の書き込みを行う書込期間とを備え、
前記フォーカルコニック期間は、電圧無印加期間と相互に前記第２双極パルスを前記コレステリック液晶材料に複数回印加することを特徴とする反射型液晶表示素子の駆動方法。
【発明の詳細な説明】
【技術分野】
【０００１】
本発明は、反射型液晶表示素子及びその駆動方法に係る発明であって、特に、コレステリック液晶材料を用いる反射型液晶表示素子及びその駆動方法に関するものである。
【背景技術】
【０００２】
コレステリック液晶表示素子は、透明電極が形成された２枚のガラス基板間にコレステリック液晶材料を挟持した構造である。そして、コレステリック液晶表示素子は、透明電極間にパルス電圧を印加することで、コレステリック液晶材料の配向状態をプレーナ状態とフォーカルコニック状態（過渡的にホメオトロピック状態）とを切り替え所望の画像を表示している。
【０００３】
コレステリック液晶表示素子に十分に高い電圧を十分に長い期間印加すると、その印加期間、液晶分子がホメオトロピック状態となる。その後、電圧印加を止めると液晶分子は、初期配向（基板面に平行）に戻りながらねじれた構造となり、プレーナ状態となる。このプレーナ状態では、液晶分子のらせんピッチをＰ、平均屈折率をｎとすると、波長λ＝ｎＰの光を選択的に反射することができる。そのため、コレステリック液晶表示素子は、プレーナ状態を明状態として利用している。
【０００４】
次に、液晶分子をホメオトロピック状態にするパルスより電圧が低く、且つパルス幅の狭いパルスをコレステリック液晶表示素子に印加すると、液晶分子はフォーカルコニック状態となる。このフォーカルコニック状態では、液晶分子の配向状態が異なる微小なドメインを有するため、わずかに白濁するものの、基本的には透明状態となる。そのため、コレステリック液晶表示素子は、裏面に光吸収層を設けて外光を吸収し、フォーカルコニック状態を黒表示として利用している。
【０００５】
このようにコレステリック液晶表示素子は、コレステリック液晶材料をプレーナ状態とフォーカルコニック状態との間で切り替えることで、反射型の表示素子として用いることができる。
【０００６】
また、コレステリック液晶材料のプレーナ状態及びフォーカルコニック状態は、電圧無印加時においてもその配向状態を保持することができる。そのため、コレステリック液晶表示素子では、配向状態の切り替え時にのみ電圧印加すればよく、消費電力の少ない表示素子を得ることができる。そのため、コレステリック液晶表示素子では、通常の電圧無印加状態で配向状態を保持することができないＴＮモード液晶等の駆動方式を利用することができない。よって、他のメモリー性を有する表示素子と同様、コレステリック液晶表示素子では、リセット過程を必要とする独特の駆動方法を適用しなければならない。
【０００７】
コレステリック液晶表示素子の駆動方法は、プレーナリセット駆動とフォーカルコニックリセット駆動の２種に大別される。この２種の駆動方法の違いは、プレーナ状態又はフォーカルコニック状態のいずれかのメモリー状態に一旦リセットして前画像を消去した後に画像を書き込むため、どちらの状態をリセット状態とするのかが異なる。以下に、２つの駆動方法について詳細に説明する。
【０００８】
通常、このような駆動方法により画像表示を行う液晶表示素子は、画素がマトリクス構成となっている。そして、このような液晶表示素子は、全ての画素をリセット状態にした後に、ラインごとに所望の画像を順次書き込む。
【０００９】
プレーナリセット駆動の場合、まず全ての画素をプレーナ状態にし、次に順次必要な画素をフォーカルコニック状態にして画像を表示する。一方、フォーカルコニックリセット駆動は、まず全ての画素をフォーカルコニック状態にし、次に順次必要な画素をプレーナ状態にして画像を表示する。
【００１０】
実際のプレーナリセット駆動では、まず十分に大きなパルスを印加して液晶分子を電界方向へ配向させたホメオトロピック状態とし、その後に急激に電圧印加を止めることで液晶分子をプレーナ状態へと変化させる。液晶分子がプレーナ状態になることで、特定の波長の光を反射できる。このプレーナ状態への変化は比較的容易に、再現性よく達成することができる。その後、液晶表示素子は、ラインごとにフォーカルコニック状態へと変化させ、黒書き込みを行い画像表示を行う。但し、プレーナ状態からフォーカルコニック状態への変化は、繰り返し書き込みを行うことで黒の反射率を下げることができるが、ラインごとの書き込みを繰り返し行うと画像の書き換え時間が長くなり、実際の液晶表示素子の駆動方法としては不向きとなる。
【００１１】
一方、実際のフォーカルコニックリセット駆動では、まずフォーカルコニック状態とするため、特許文献１に開示されているように、ホメオトロピック状態のしきい値電圧以上のパルスを印加して前画像を事前に一括に消去して全画素をプレーナ状態にする。その後、フォーカルコニック状態のしきい値電圧のパルスを印加することで全画素を一括にフォーカルコニック状態とする。さらに、フォーカルコニック状態のしきい値電圧より大きく、且つホメオトロピック状態のしきい値電圧以下の電圧をラインごとに書き込み、必要画素をプレーナ状態とすることで画像を表示する。
【００１２】
フォーカルコニックリセット駆動とプレーナリセット駆動とを比較すると、フォーカルコニックリセット駆動の方がやや明状態での反射率は劣るものの、コントラスト比、書き換え時間の観点からは表示品位が優れている。しかし、フォーカルコニック状態は配向状態が不安定であったり、微小なドメインの大きさに面内ばらつきが生じたりするので黒表示時の反射率がばらつく、そのため良好な表示品位を得ることができない点があった。
【００１３】
【特許文献１】特開平１１−３２６８７１号公報
【発明の開示】
【発明が解決しようとする課題】
【００１４】
コレステリック液晶材料を用いた反射型液晶表示素子を、フォーカルコニックリセット駆動で画像表示を行う場合、フォーカルコニック状態での微小なドメインの大きさを最適化することで、白濁の低減、反射率の低下が可能となり、高コントラスト比の良好な表示を得ることができる。
【００１５】
しかし、通常の双極パルスを印加して得たフォーカルコニック状態は、反射率が十分に低くならない。また、微妙に印加条件がばらつくため、得られるフォーカルコニック状態の反射率もばらつき、低反射率の良好なフォーカルコニック状態を得ることは困難であった。
【００１６】
なお、双極パルスの印加回数（繰り返し回数）を非常に多くするとで、印加条件のばらつき等を軽減して、均一なフォーカルコニック状態を得ることができる。但し、双極パルスの印加回数を単純に多くしても、フォーカルコニック状態の反射率を十分に低くすることはできず、逆に印加回数の増加に伴い書き換え時間が増加して、良好な表示が得られなくなる。
【００１７】
さらに、前述したようにフォーカルコニックリセット駆動では、一般的に、プレーナリセット駆動の場合よりもフォーカルコニック状態の反射率を低くできる。但し、特許文献１に示すフォーカルコニックリセット駆動を用いた場合、プレーナリセット駆動との差があまり大きくなく、十分に高コントラスト比の表示を得ることができない。
【００１８】
そこで、本発明は、フォーカルコニック状態の反射率が低くコントラスト比が高い表示が得られ、また表示面内で均一な表示を比較的短い書き換え時間で得ることができる反射型液晶表示素子及びその駆動方法を提供することを目的とする。
【課題を解決するための手段】
【００１９】
本発明に係る解決手段は、複数の走査電極が形成された第１透明電極基板と、複数の信号電極が形成された第２透明電極基板と、前記第１透明電極基板と前記第２透明電極基板とに挟持されたコレステリック液晶材料とを備える反射型液晶表示素子であって、前記コレステリック液晶材料をホメオトロピック状態にする第１双極パルスを所定の期間印加して、前記走査電極と前記信号電極との間の全ての前記コレステリック液晶材料を一括してプレーナ状態にするプレーナ手段と、前記第１双極パルスより印加電圧が低い第２双極パルスを印加して、前記走査電極と前記信号電極との間の全ての前記コレステリック液晶材料を一括してフォーカルコニック状態にするフォーカルコニック手段と、所定の前記走査電極と前記信号電極との間の前記コレステリック液晶材料に、所定のパルスを印加して画像の書き込みを行う書込手段とを備え、前記フォーカルコニック手段は、電圧無印加期間と相互に前記第２双極パルスを前記コレステリック液晶材料に複数回印加することを特徴とする。
【発明の効果】
【００２０】
本発明に記載の反射型液晶表示素子及びその駆動方法は、フォーカルコニック手段が、電圧無印加期間と相互に前記第２双極パルスを前記コレステリック液晶材料に複数回印加するので、フォーカルコニック状態の微小なドメインを再現性よく制御することが可能となり、フォーカルコニック状態の反射率が低くコントラスト比が高い表示が得られ、また表示面内で均一な表示を比較的短い書き換え時間で得ることができる効果がある。
【発明を実施するための最良の形態】
【００２１】
コレステリック液晶表示素子は、２枚の透明電極基板に電極幅５ｍｍ、電極間隔１ｍｍのライン状の透明電極パターン（走査電極及び信号電極）を複数形成し、各々の透明電極基板上の透明電極パターンが直交するように配置した液晶パネルを備えている。そして、各々の透明電極基板表面には、液晶分子を基板面に平行に配向させるポリイミドからなる配向膜を１０００オングストロームの膜厚で作成する。なお、コレステリック液晶表示素子は、通常の液晶表示素子で行うラビング処理を行わない。
【００２２】
次に、コレステリック液晶表示素子は、パネルギャップを１０μｍとして２枚の透明電極基板を貼りあわせた液晶パネルに、らせんピッチ０．３５μｍ、平均屈折率１．５０（ｎｅ＝１．５８、ｎｏ＝１．４６）のコレステリック液晶材料を注入する。その後、液晶パネルは、当該液晶材料が一度等方状態になるまで過熱し、その後室温まで徐冷する。これにより、コレステリック液晶表示素子は、走査電極と信号電極との間に、所定の配向状態のコレステリック液晶材料を挟持できる。
【００２３】
上述のコレステリック液晶表示素子の最も基本的な駆動波形を図１に示す。また、図１に示した第１状態１、第２状態２、第３状態３に対応するコレステリック液晶材料の配向状態を図２（ａ）（ｂ）（ｃ）に模式図として示す。図１では、十分に高い電圧を十分に長い期間印加すると、その印加期間、液晶分子が図２（ａ）に示すようなホメオトロピック状態となる。その後、図１では、電圧印加を止めると液晶分子は、初期配向（基板面に平行）に戻りながらねじれた構造となり、液晶分子が図２（ｂ）に示すようなプレーナ状態となる。次に、図１では、液晶分子をホメオトロピック状態にするパルスより、電圧が低く、且つパルス幅の狭いパルスをコレステリック液晶材料に印加すると、液晶分子が図２（ｃ）に示すようなフォーカルコニック状態となる。
【００２４】
なお、上述のコレステリック液晶表示素子は、プレーナ状態としたときには緑色の光を反射する。また、上述のコレステリック液晶表示素子では、フォーカルコニック状態としたときに黒表示となるように、液晶パネルの裏面（反観察者側）に黒色塗料を塗布する。つまり、上述のコレステリック液晶表示素子は、反射型液晶表示素子である。
【００２５】
上述した液晶パネルを単独で用いた場合、プレーナ状態で緑の反射、フォーカルコニック状態で黒表示となるので、緑と黒の表示が可能となる。なお、注入する液晶材料のコレステリックピッチを調整して、プレーナ状態で赤色の反射表示となる同様の液晶パネルやプレーナ状態で青色の反射表示となる同様の液晶パネルを別途作成し、それら３枚の液晶パネルを積層してコレステリック液晶表示素子を構成すれば、白黒やカラーの反射表示が可能となる。
【００２６】
本発明は、高コントラスト比の表示が可能な駆動方法を適用したコレステリック液晶表示素子に関するものであり、液晶パネルの積層の有無には無関係である。そのため、以下に述べる実施の形態では、上述した緑と黒の表示を行う単独の液晶パネルのみのコレステリック液晶表示素子について説明する。
【００２７】
以下の各実施の形態において、コントラスト比に優れた表示が得られるコレステリック液晶表示素子の駆動方法を説明する。その前に、各実施の形態の駆動方法において、共通する部分を、図３に示す駆動波形を用いて説明する。
【００２８】
図３に示す駆動波形では、まず、前画面を一括で消去するために第１双極パルス４を印加する。この第１双極パルス４は、液晶分子をホメオトロピック状態とすることができるしきい値以上の電圧を有している。具体的には、上述のコレステリック液晶表示素子の場合、電圧４０Ｖ以上、パルス幅５０ｍｓ以上であれば十分である。但し、この第１双極パルス４は書き換え時に１回のみ印加されるだけであり、パルス幅を長くしても書き換え時間に与える影響は軽微であるので、完全に前画面を消去することができるよう、余裕を持って１００ｍｓのパルス幅としている。以下の実施の形態においても第１双極パルス４の当該条件を共通に適用する。
【００２９】
第１双極パルス４の印加後、電圧の印加を止めると液晶分子はプレーナ状態へ変化する。その後、全ての画素を一括してフォーカルコニック状態とするために第２双極パルス群５を印加する。なお、第２双極パルス群５を印加する前に、電圧無印加状態６が必要である。この電圧無印加状態６は、液晶分子がホメオトロピック状態からプレーナ状態への変化を十分にかつ確実に行うための期間であり、図４に示す電圧無印加状態６の期間と反射率との関係から１０ｍｓ以上の期間を設ければ十分である。しかし、当該期間も書き換え時に一度だけ必要なものであり、書き換え時間に与える影響は軽微であるので余裕をとって、１００ｍｓとしている。以下の実施の形態においても、電圧無印加状態６の当該条件を共通に適用した。
【００３０】
なお、第２双極パルス群５は、図３に示すように、第１双極パルス４よりも印加電圧が低く、パルス幅の小さい第２双極パルス５１が複数集まった第２双極パルス組５２と、電圧無印加期間５３とで構成される。
【００３１】
また、上述したフォーカルコニックリセット駆動を行う、本発明に係る反射型液晶表示素子（コレステリック液晶表示素子）のブロック図は、図５のようになる。図５では、反射型液晶表示素子が駆動部１０と液晶パネル１１とを備えている。さらに、駆動部１０は、図５に示すようにプレーナ手段１２、フォーカルコニック手段１３及び書込手段１４を備えている。
【００３２】
プレーナ手段１２は、図３に示す第１双極パルス４が印加されている期間に対応する。また、プレーナ手段１２は、液晶パネル１１のコレステリック液晶材料をホメオトロピック状態にする第１双極パルス４を所定の期間印加して、走査電極と信号電極との間の全てのコレステリック液晶材料を一括してプレーナ状態にする。
【００３３】
フォーカルコニック手段１３は、図３に示す第２双極パルス群５が印加されている期間に対応する。また、フォーカルコニック手段１３は、第１双極パルス４より印加電圧が低い第２双極パルス５１を含む第２双極パルス群５を印加して、走査電極と信号電極との間の全てのコレステリック液晶材料を一括してフォーカルコニック状態にする。
【００３４】
書込手段１４は、所定の走査電極と信号電極との間のコレステリック液晶材料に、所定のパルスを印加して画像の書き込みを行う。具体的には、第２双極パルス５１より印加電圧が高く、且つ第１双極パルス４より印加電圧が低い双極パルスを、所定の走査電極と信号電極との間のコレステリック液晶材料に印加する。なお、書込手段において印加する双極パルス等については、一般的な駆動方法であるため、特に図示していない。
【００３５】
以上のような構成を有する反射型液晶表示素子及びその駆動方法に、以下に示す各実施の形態を適用する。
【００３６】
（実施の形態１）
上述のコレステリック液晶表示素子を用いて、プレーナ状態への一括リセット条件、及びプレーナ状態へのリセット後からフォーカルコニック状態への一括リセットまでの期間（電圧無印加状態６の期間）は上述の条件を用いた。具体的には、図３に示す第１双極パルス４の印加電圧を４０Ｖ、パルス幅を１００ｍｓとし、電圧無印加状態６の期間を１００ｍｓとした。
【００３７】
その後、本実施の形態では、図６に示す第２双極パルス群５を印加して、液晶分子をフォーカルコニック状態としている。具体的には、基本となる第２双極パルス５１の電圧を３０Ｖ、パルス幅を１０ｍｓとし、この第２双極パルス５１を３回繰り返して一組の第２双極パルス組５２とした。この第２双極パルス組５２をそれぞれ１００ｍｓの電圧無印加期間５３で挟みながら３組印加する。つまり、本実施の形態では、１００ｍｓの電圧無印加期間５３と相互に第２双極パルス組５２をコレステリック液晶材料に３回印加する。
【００３８】
上述のように第２双極パルス組５２を印加することで、全ての画素の液晶分子は一括にフォーカルコニック状態となっており、コレステリック液晶表示素子は、液晶パネルの裏面に設けた光吸収層により黒表示となる。本実施の形態に係る駆動条件を用いることで、フォーカルコニック状態において反射率の低い黒表示を得ることができる。また、フォーカルコニック状態の微小なドメインを再現性よく制御することも可能となる。
【００３９】
本実施の形態は、高コントラスト比の反射表示を得ることができる駆動方法を適用したコレステリック液晶表示素子に関するものである。そのため、本来は、フォーカルコニックリセット駆動の後にラインごとの書き込みを行い、必要な画素をプレーナ状態にすることで明状態部分を形成して所望の画像を書き込む。しかし、フォーカルコニック状態をプレーナ状態に変化させることは、一般的な双極パルスを印加すれば安定に転移することができる。また、本発明の趣旨が、高コントラスト比の反射表示を得るためラインごとの書き込みについての詳細な説明は省略する。
【００４０】
なお、本実施の形態の本質的な部分がフォーカルコニック状態としたときの黒表示の反射率低減であるため、他の駆動方法との比較は、フォーカルコニック状態としたときの反射率を比較することで、十分に目的を達することができ、且つ当該比較を容易、明瞭に行うことができる。
【００４１】
本実施の形態では、図６に示したフォーカルコニックリセット駆動を用いることによりフォーカルコニック状態での反射率を約１．６％にすることができ、非常に良好な黒表示を得ることができた。また、プレーナ状態への書き込み後の反射率をおよそ３０％とするとコントラスト比はおよそ１９となる。
【００４２】
ここで、本実施の形態に係るフォーカルコニックリセット駆動と比較のために、以下に電圧無印加期間５３がゼロの駆動を説明する。電圧無印加期間５３がゼロの駆動でも、図３に示すプレーナ状態への全画素一括リセット条件を、電圧４０Ｖ、パルス幅１００ｍｓの第１双極パルス４を印加し、その後の電圧無印加状態６の期間を１００ｍｓとしている。
【００４３】
さらに図３に示すフォーカルコニック状態への全画素一括リセット条件では、電圧３０Ｖ、パルス幅１０ｍｓの第２双極パルス５１を３回繰り返して一組とし、隣接する第２双極パルス組５２の間に電圧無印加期間５３を設けず３組印加する。電圧無印加期間５３がゼロの駆動におけるフォーカルコニック状態（黒表示）での反射率は約３．２％であり、プレーナ状態への書き込み後の反射率をおよそ３０％とするとコントラスト比はおよそ９となり、高コントラストの良好な表示を得ることができない。
【００４４】
（実施の形態２）
本実施の形態に係るコレステリック液晶表示素子は、実施の形態１と同じコレステリック液晶表示素子を用い、図３に示すプレーナ状態への全画素一括リセット条件、その後の電圧無印加状態６の期間も実施の形態１と同じ条件とした。具体的には、第１双極パルス４は電圧４０Ｖ、パルス幅１００ｍｓとし、電圧無印加状態６の期間を１００ｍｓとした。
【００４５】
さらに、本実施の形態に係るコレステリック液晶表示素子は、図６に示す第２双極パルス群５を印加し、フォーカルコニック状態とする。具体的に、本実施の形態では、基本となる第２双極パルス５１を電圧３０Ｖ、パルス幅１０ｍｓとし、この第２双極パルス５１を３回繰り返して一組の第２双極パルス組５２としている。また、本実施の形態では、第２双極パルス組５２にそれぞれ０ｍｓ〜２０００ｍｓの電圧無印加期間５３で挟み３組印加している。
【００４６】
つまり、本実施の形態では、実施の形態１と異なり電圧無印加期間５３を０ｍｓ〜２０００ｍｓに変化させたときのフォーカルコニック状態（黒表示）の反射率を求めている。当該結果であるフォーカルコニック状態の反射率と電圧無印加時間との依存性を図７に示す。
【００４７】
図７に示す結果では、電圧無印加時間５３が０ｍｓのとき、つまり第２双極パルス５１が間隔無く９回印加した場合、フォーカルコニック状態の反射率は４％であり、プレーナ状態への書き込み後の反射率をおよそ３０％とすると予想されるコトントラスト比は７．５程度である。しかし、電圧無印加時間５３を１ｍｓ〜５００ｍｓとするとフォーカルコニック状態の反射率は約２．５％以下となり、１０以上のコントラスト比を得ることができると予想される。なお、５００ｍｓを超える電圧無印加時間５３の場合、フォーカルコニック状態の反射率は３％を超え、良好なフォーカルコニック状態とはならず、高コントラスト比は期待できない。
【００４８】
以上のように、本実施の形態に係るコレステリック液晶表示素子では、フォーカルコニック状態へ変化させるための第２双極パルス組５２の間には１ｍｓ〜５００ｍｓの電圧無印加時間５３を設けることで、フォーカルコニック状態の反射率が低くコントラスト比が高い表示が得られる効果がある。
【００４９】
（実施の形態３）
本実施の形態に係るコレステリック液晶表示素子も、実施の形態１と同じコレステリック液晶表示素子を用い、図３に示すプレーナ状態への全画素一括リセット条件、その後の電圧無印加状態６の期間も実施の形態１と同じ条件とした。具体的には、第１双極パルス４は電圧４０Ｖ、パルス幅１００ｍｓとし、電圧無印加状態６の期間を１００ｍｓとした。
【００５０】
さらに、本実施の形態に係るコレステリック液晶表示素子は、図６に示す第２双極パルス群５を印加し、フォーカルコニック状態とする。具体的に、本実施の形態では、基本となる第２双極パルス５１を電圧３０Ｖ、パルス幅１ｍｓ〜１００ｍｓとし、この第２双極パルス５１を３回繰り返して一組の第２双極パルス組５２としている。また、本実施の形態では、第２双極パルス組５２をそれぞれ１００ｍｓの電圧無印加期間５３で挟み３組印加する。
【００５１】
つまり、本実施の形態では、実施の形態１と異なり第２双極パルス５１のパルス幅を１ｍｓ〜１００ｍｓに変化させたときのフォーカルコニック状態（黒表示）の反射率を求めている。当該結果であるフォーカルコニック状態の反射率と第２双極パルス５１のパルス幅との依存性を図８に示す。
【００５２】
図８に示す結果では、第２双極パルス５１のパルス幅の範囲が１ｍｓ〜５０ｍｓの範囲であれば、フォーカルコニック状態の反射率は２．５％以下となり、プレーナ状態への書き込み後の反射率をおよそ３０％とすると予想されるコトントラスト比が１０以上となる。第２双極パルス５１のパルス幅が５０ｍｓを超えると、部分的にプレーナ状態への転移が始まってしまうと考えられ、フォーカルコニック状態での反射率が急激に上昇し、高コントラストの表示を得ることができない。
【００５３】
以上のように、本実施の形態に係るコレステリック液晶表示素子では、フォーカルコニック状態へ変化させるための第２双極パルス５１のパルス幅を１ｍｓ〜５０ｍｓとすることでフォーカルコニック状態の反射率が低くコントラスト比が高い表示が得られる効果がある。
【００５４】
（実施の形態４）
本実施の形態に係るコレステリック液晶表示素子も、実施の形態１と同じコレステリック液晶表示素子を用い、図３に示すプレーナ状態への全画素一括リセット条件、その後の電圧無印加状態６の期間も実施の形態１と同じ条件とした。具体的には、第１双極パルス４は電圧４０Ｖ、パルス幅１００ｍｓとし、電圧無印加状態６の期間を１００ｍｓとした。
【００５５】
さらに、本実施の形態に係るコレステリック液晶表示素子は、図６に示す第２双極パルス群５を印加し、フォーカルコニック状態とする。具体的に、本実施の形態では、基本となる第２双極パルス５１を電圧３０Ｖ、パルス幅１０ｍｓとし、この第２双極パルス５１を１回〜２０回繰り返して一組の第２双極パルス組５２としている。また、本実施の形態では、第２双極パルス組５２をそれぞれ１００ｍｓの電圧無印加期間５３で挟み３組印加する。
【００５６】
つまり、本実施の形態では、実施の形態１と異なり一組の第２双極パルス組５２を構成する第２双極パルス５１の繰り返し回数を１回〜２０回に変化させたときのフォーカルコニック状態（黒表示）の反射率を求めている。当該結果であるフォーカルコニック状態の反射率と第２双極パルス５１の繰り返し回数との依存性を図９に示す。
【００５７】
図９に示す結果では、一組の第２双極パルス組５２を構成する第２双極パルス５１の繰り返し回数が２回〜１０回の範囲であれば、フォーカルコニック状態の反射率はおよそ２％以下となり、プレーナ状態への書き込み後の反射率をおよそ３０％とすると予想されるコトントラスト比が１０以上となる。
【００５８】
なお、一組の第２双極パルス組５２を構成する第２双極パルス５１の繰り返し回数が１回では積算効果が不足し、フォーカルコニック状態の反射率を低下させることができない。逆に、一組の第２双極パルス組５２を構成する第２双極パルス５１の繰り返し回数が１０回を超えると、フォーカルコニック状態への変換時間が長くなることに加え、反射率も高くなり高コントラストの表示が得られない。
【００５９】
以上のように、本実施の形態に係るコレステリック液晶表示素子では、フォーカルコニック状態へ変化させるための一組の第２双極パルス組５２を構成する第２双極パルス５１の繰り返し回数を２回〜１０回とすることでフォーカルコニック状態の反射率が低くコントラスト比が高い表示が得られ、フォーカルコニック状態への変換時間を短くする効果がある。
【００６０】
（実施の形態５）
本実施の形態に係るコレステリック液晶表示素子も、実施の形態１と同じコレステリック液晶表示素子を用い、図３に示すプレーナ状態への全画素一括リセット条件、その後の電圧無印加状態６の期間も実施の形態１と同じ条件とした。具体的には、第１双極パルス４は電圧４０Ｖ、パルス幅１００ｍｓとし、電圧無印加状態６の期間を１００ｍｓとした。
【００６１】
さらに、本実施の形態に係るコレステリック液晶表示素子は、図６に示す第２双極パルス群５を印加し、フォーカルコニック状態とする。具体的に、本実施の形態では、基本となる第２双極パルス５１を電圧３０Ｖ、パルス幅１０ｍｓとし、この第２双極パルス５１を３回繰り返して一組の第２双極パルス組５２としている。また、本実施の形態では、第２双極パルス組５２をそれぞれ１００ｍｓの電圧無印加期間５３で挟み１組〜２０組印加する。
【００６２】
つまり、本実施の形態では、実施の形態１と異なり第２双極パルス組５２の組数を１組〜２０組に変化させたときのフォーカルコニック状態（黒表示）の反射率を求めている。当該結果であるフォーカルコニック状態の反射率と第２双極パルス組５２の組数との依存性を図１０に示す。
【００６３】
図１０に示す結果では、第２双極パルス組５２が２組〜１０組の範囲であれば、フォーカルコニック状態の反射率はおよそ２％以下となり、プレーナ状態への書き込み後の反射率をおよそ３０％とすると予想されるコトントラスト比が１０以上となる。
【００６４】
なお、第２双極パルス組５２が１組の場合は積算効果が不足し、フォーカルコニック状態の反射率を低下させることができない。逆に、第２双極パルス組５２が１０組を超えると、フォーカルコニック状態への変換時間が長くなることに加え、反射率も高くなり高コントラストの表示が得られない。
【００６５】
以上のように、本実施の形態に係るコレステリック液晶表示素子では、フォーカルコニック状態へ変化させるための第２双極パルス組５２の組数を２組〜１０組とすることでフォーカルコニック状態の反射率が低くコントラスト比が高い表示が得られ、フォーカルコニック状態への変換時間を短くする効果がある。
【図面の簡単な説明】
【００６６】
【図１】本発明の前提となる反射型液晶表示素子のフォーカルコニックリセット駆動の駆動波形を示す図である。
【図２】本発明の前提となる反射型液晶表示素子の液晶分子の配向状態を説明するための図である。
【図３】本発明に係る反射型液晶表示素子の駆動波形を示す図である。
【図４】本発明に係る反射型液晶表示素子のフォーカルコニック状態の反射率と電圧無印加状態の期間との関係を示すグラフである。
【図５】本発明の実施の形態１に係る反射型液晶表示素子のブロック図である。
【図６】本発明の実施の形態１に係る反射型液晶表示素子の駆動波形を示す図である。
【図７】本発明の実施の形態２に係る反射型液晶表示素子のフォーカルコニック状態の反射率と、電圧無印加時間との関係を示すグラフである。
【図８】本発明の実施の形態３に係る反射型液晶表示素子のフォーカルコニック状態の反射率と、第２双極パルスのパルス幅との関係を示すグラフである。
【図９】本発明の実施の形態４に係る反射型液晶表示素子のフォーカルコニック状態の反射率と、一組の第２双極パルス組を構成する第２双極パルスの繰り返し回数との関係を示すグラフである。
【図１０】本発明の実施の形態５に係る反射型液晶表示素子のフォーカルコニック状態の反射率と、第２双極パルス組を組数との関係を示すグラフである。
【符号の説明】
【００６７】
１  第１状態、２  第２状態、３  第３状態、４  第１双極パルス、５  第２双極パルス群、６  電圧無印加状態、１０  駆動部、１１  液晶パネル、１２  プレーナ手段、１３  フォーカルコニック手段、１４  書込手段、５１  第２双極パルス、５２  第２双極パルス組、５３  電圧無印加期間。
【図１】
2007304461.tif 000003
【図２】
2007304461.tif 000004
【図３】
2007304461.tif 000005
【図４】
2007304461.tif 000006
【図５】
2007304461.tif 000007
【図６】
2007304461.tif 000008
【図７】
2007304461.tif 000009
【図８】
2007304461.tif 000010
【図９】
2007304461.tif 000011
【図１０】
2007304461.tif 000012